(57)【要約】【課題】ＧＰＳ衛星の向きまで考慮し、ＧＰＳ信号を確実に受信することが可能なアンテナ装置を提供する。【解決手段】アンテナ装置１００は、アンテナブロック１０と、アンテナブロック１０が取り付けられるプリント基板２０とを備え、アンテナブロック１０は、直方体状の誘電体からなる基体１１と、基体１１の表面に形成された放射電極を有している。プリント基板２０は、コーナー部に設けられた切り欠き部２１を有している。アンテナブロック１０は切り欠き部２１内に収納され、アンテナブロック１０の実装面はプリント基板２０の端面に接しており、アンテナブロック１０の主放射面は切り欠き部２１の開口側を向いている。【選択図】図１
2011071775.tif 000002
【特許請求の範囲】
【請求項１】
アンテナブロックと、前記アンテナブロックが取り付けられるプリント基板とを備え、
前記アンテナブロックは、略直方体状の誘電体からなる基体と、前記基体の表面に形成された放射電極を含み、
前記プリント基板は、当該プリント基板の外周部に設けられた切り欠き部を有し、
前記アンテナブロックは前記切り欠き部に収納され、
前記アンテナブロックの実装面は前記プリント基板の端面に接しており、
前記アンテナブロックの主放射面は前記切り欠き部の開口側を向いていることを特徴とするアンテナ装置。
【請求項２】
前記アンテナブロックの前記主放射面は、前記プリント基板の矩形状のアウトラインと一致するか又は当該アウトラインよりも内側に位置することを特徴とする請求項１に記載のアンテナ装置。
【請求項３】
前記アンテナブロックは、当該アンテナブロックの幅方向の中心と前記プリント基板の厚さ方向の中心が一致するように配置されていることを特徴とする請求項１又は２に記載のアンテナ装置。
【請求項４】
前記アンテナブロックは、当該アンテナブロックの実装面に形成された溝を有し、前記プリント基板の前記端面が前記溝に嵌合していることを特徴とする請求項１乃至３のいずれか一項に記載のアンテナ装置。
【請求項５】
前記切り欠き部は、前記プリント基板のコーナー部に設けられていることを特徴とする請求項１乃至４のいずれか一項に記載のアンテナ装置。
【請求項６】
請求項１乃至５のいずれか一項に記載のアンテナ装置を備えた移動体通信装置であって、
前記プリント基板の一方の主面に設けられたディスプレイパネルをさらに備え、
前記ディスプレイパネルは、前記プリント基板の長手方向の一端側に近接して設けられており、
前記アンテナブロックは、前記プリント基板の前記長手方向の前記一端側の外周部に設けられていることを特徴とする移動体通信装置。
【請求項７】
前記アンテナブロックは、前記プリント基板の前記主面側から見て、前記ディスプレイパネルと重なる部分を有することを特徴とする請求項６に記載の移動体通信装置。
【発明の詳細な説明】
【技術分野】
【０００１】
本発明は、アンテナ装置に関し、特に、ＧＰＳ（Global Positioning System）用チップアンテナの実装構造に関するものである。また、本発明はそのようなアンテナ装置を備えた携帯電話機その他の移動体通信装置に関するものである。
【背景技術】
【０００２】
近年、ＧＰＳ機能を搭載した携帯電話機が広く普及している。ＧＰＳ機能は携帯電話機のみならず、携帯パーソナルコンピュータや携帯用デジタル端末機器に搭載されていることも多い。従来のＧＰＳ用アンテナとしては、円偏波の直線偏波成分を受信することを目的とした小型のチップアンテナが提案されている（特許文献１、２参照）。
【先行技術文献】
【特許文献】
【０００３】
【特許文献１】特開２００３−０４６３１１号公報
【特許文献２】国際公開ＷＯ００／７２４０４号パンフレット
【発明の概要】
【発明が解決しようとする課題】
【０００４】
近年、携帯電話機等に搭載されるディスプレイのサイズが大きくなってきたことで、ディスプレイと同一実装面にチップアンテナの実装領域を確保することが難しくなってきている。そのため、最近は図１１に示すようにディスプレイ９３の実装面であるプリント基板９１の一方の主面９１ａとは反対側の主面９１ｂにチップアンテナ９２が実装されるようになってきた。
【０００５】
しかしながら、従来の実装方法ではチップアンテナの指向性をＧＰＳ衛星のある方向に向けて電波を放射することができず、良好な放射特性を得ることができないという問題がある。特に、プリント基板９１の裏面側にアンテナブロックが表面実装された構成であるため、アンテナの放射特性が悪化し、ＧＰＳ信号をうまく受信することができなかった。
【０００６】
また、従来のアンテナ装置ではアンテナブロックがプリント基板の主面（特に、ディスプレイパネルの実装面とは反対側の面）に表面実装されていたため、アンテナブロックの高さがそのまま装置全体の厚みに加わり、低背化を妨げる要因となっていた。また、アンテナブロック上の放射電極は、実装面上に形成されたグランド面からある程度引き離さなければ良好な特性を得ることができず、そのためにはアンテナブロックの高さをある程度確保しなければならかった。その結果、アンテナブロックはプリント基板上に実装される各種部品の中で最も背の高い部品の一つとなっており、低背化を妨げる要因となっていた。
【０００７】
本発明は上記課題を解決するものであり、本発明の目的は、ＧＰＳ衛星の向きを考慮し、ＧＰＳ信号を確実に受信することが可能なアンテナ装置を提供することにある。また、本発明の目的は、低背化されたアンテナ装置を提供することにある。さらにまた、本発明の目的は、そのようなアンテナ装置を備えた移動体通信装置を提供することにある。
【課題を解決するための手段】
【０００８】
上記課題を解決するため、本発明によるアンテナ装置は、アンテナブロックと、前記アンテナブロックが取り付けられるプリント基板とを備え、前記アンテナブロックは、略直方体状の誘電体からなる基体と、前記基体の表面に形成された放射電極を含み、前記プリント基板は、当該プリント基板の外周部に設けられた切り欠き部を有し、前記アンテナブロックは前記切り欠き部に収納され、前記アンテナブロックの実装面は前記プリント基板の端面に接しており、前記アンテナブロックの主放射面は前記切り欠き部の開口側を向いていることを特徴とするアンテナ装置ことを特徴とする。
【０００９】
本発明によれば、アンテナの放射電極をプリント基板の主面と直交するように配置し、アンテナブロックがプリント基板の外周部に設けられた切り欠き部内に収納されているので、アンテナの指向性を改善することができ、良好な放射特性を得ることができる。
【００１０】
本発明において、前記アンテナブロックの前記主放射面は、前記プリント基板の矩形状のアウトラインと一致するか又は当該アウトラインよりも内側に位置することが好ましい。この構成によれば、グランド結合による損失が抑制されるため、アンテナの放射特性を一段と向上させることができる。
【００１１】
本発明において、放射電極は、プリント基板の切り欠きと対向しない、プリント基板の外側を向いていることが好ましい。放射電極はプリント基板の内側に近いほどグランドに近くなり、放射電極がグランドに近づくと放射電磁界がグランド面で反射してしまうので、アンテナの放射効率が著しく低下する。しかし、放射電極がプリント基板の外側を向いている場合にはそのような問題が無く、十分な放射効率を得ることができる。
【００１２】
本発明において、前記アンテナブロックは、当該アンテナブロックの幅方向の中心と前記プリント基板の厚さ方向の中心が一致するように配置されていることが好ましい。両者の中心がずれるとアンテナの特性インピーダンスが変化し、ＶＳＷＲが大きくなるため、アンテナの放射効率が悪化する。また、両者の中心が一致していない場合には、アンテナブロックが一方の主面側に偏って突出するので、低背化を妨げる要因となる。しかし、アンテナブロックの幅方向の中心とプリント基板の厚さ方向の中心が一致している場合には、アンテナの放射効率を高めることができ、アンテナ実装の低背化にも寄与することができる。
【００１３】
本発明において、前記切り欠き部は、前記プリント基板のコーナー部に設けられていることが好ましい。この構成によれば、アンテナブロックの放射効率を向上させることができる。この場合において、前記切り欠き部は、アンテナブロックの周囲３方向がプリント基板に囲まれているように設けられていることが好ましい。このような構成であれば、アンテナブロックの３方向がプリント基板の端面で支持されるため、アンテナブロックを確実に固定することができる。
【００１４】
本発明において、前記アンテナブロックは、当該アンテナブロックの実装面に形成された溝を有し、前記プリント基板の前記端面が前記溝に嵌合していることが好ましい。これによれば、プリント基板に対してアンテナブロックが確実に固定されるので、アンテナの強度面での信頼性を高めることができる。また特に、溝が実装面の幅方向の中央部に形成されている場合には、アンテナブロックの幅方向の中心が前記プリント基板の厚さ方向の中心と一致するように、アンテナブロックを容易且つ確実に位置決めすることができる。
【００１５】
また、本発明による移動体通信装置は、上記特徴を有するアンテナ装置と、前記プリント基板の一方の主面に設けられたディスプレイパネルをさらに備え、前記ディスプレイパネルは、前記プリント基板の長手方向の一端側に近接して設けられており、前記アンテナブロックは、前記プリント基板の前記長手方向の前記一端側の外周部に設けられていることを特徴とする。この場合において、前記アンテナブロックは、前記プリント基板の前記一方の主面側から見て、前記ディスプレイパネルと重なる部分を有することが好ましい。携帯電話等の無線携帯端末は液晶パネル等のディスプレイパネルを有するが、ディスプレイパネルとアンテナブロックとがこのようなレイアウト関係を有することにより、アンテナブロックがディスプレイパネルの実装を邪魔することなく、効率的なレイアウトを実現することができる。
【発明の効果】
【００１６】
本発明によれば、ＧＰＳ衛星のある方向に対して良好な放射特性を有する小型のチップアンテナの実装構造を提供することができる。また、本発明によれば、そのようなチップアンテナが搭載されたＧＰＳ機能を有する移動体通信装置を提供することができる。
【図面の簡単な説明】
【００１７】
【図１】本発明の第１の実施形態によるアンテナ装置１００の構成を示す略斜視図である。
【図２】アンテナブロック１０を含むアンテナ装置１００のコーナー部２０Ａの拡大図である。
【図３】アンテナブロック１０の展開図である。
【図４】プリント基板２０の構成を示す略平面図である。
【図５】図１の矢印Ｐ１方向から見たアンテナ装置１００の略平面図である。
【図６】アンテナ装置１００の指向性を示すグラフである。
【図７】アンテナ装置１００を含む移動体通信装置（携帯電話機）の使用状態での指向性を示す模式図である。
【図８】本発明の第２の実施形態によるアンテナ装置２００の構成を示す略外観斜視図である。
【図９】図８の矢印Ｐ２方向から見たアンテナ装置２００の略平面図である。
【図１０】アンテナ装置２００の指向性を示すグラフである。
【図１１】携帯電話機に搭載された従来のアンテナ装置の使用状態での指向性を示す模式図である。
【発明を実施するための形態】
【００１８】
以下、添付図面を参照しながら、本発明の好ましい実施の形態について詳細に説明する。
【００１９】
図１は、本発明の第１の実施形態によるアンテナ装置１００の構成を示す略斜視図である。
【００２０】
図１に示すように、本実施形態によるアンテナ装置１００は、携帯電話機等の移動体通信装置のＧＰＳ受信アンテナとして使用されるものであり、アンテナブロック（アンテナ素子）１０と、アンテナブロック１０が実装されたプリント基板２０とを備えている。矩形状のプリント基板２０の右上側のコーナー部２０Ａには切り欠き部２１が形成されており、アンテナブロック１０はこの切り欠き部２１に収納されている。アンテナブロック１０の長手方向はプリント基板２０の短手方向（Ｘ方向）を向いており、プリント基板２０の端面に固定されている。
【００２１】
図２は、アンテナブロック１０を含むアンテナ装置１００のコーナー部２０Ａの拡大図である。また、図３は、アンテナブロック１０の展開図である。
【００２２】
図２及び図３に示すように、アンテナブロック１０は、直方体状の誘電体からなる基体１１と、基体１１の主面（上面）１１Ａの略全面に形成された放射電極１２と、基体１１の底面１１Ｂに形成された第１乃至第３のパッド電極１３乃至１５と、基体１１の長手方向（Ｙ方向）と直交する第１の側面１１Ｃの全面に形成された給電電極１６と、第１の側面と対向する第２の側面１１Ｄに形成された接地電極１７とを備えている。なお、基体１１の長手方向と平行な第３及び第４の側面１１Ｅ、１１Ｆには導体パターンは形成されておらず、プリント基板２０の主面と直交する４つの面にのみ形成されている。
【００２３】
特に限定されるものではないが、アンテナブロック１０のチップサイズは、長さＬ＝１２ｍｍ、幅Ｗ＝２．５ｍｍ、高さＨ＝４．５ｍｍとすることができる。アンテナブロック１０の主面は、アンテナブロック１０の実装面である基体１１の底面１１Ｂと対向する上面１１Ａであり、基体の上面１１Ａに形成された放射電極１２は電波の放射に最も寄与する。すなわち、基体１１の上面１１Ａはアンテナの主放射面を構成している。
【００２４】
基体１１の底面１１Ｂの幅方向の中央部には、基体１１の底面１１Ｂの長手方向に延びる溝１９が設けられている。溝１９はアンテナブロック１０をプリント基板２０のエッジに固定するために設けられるものである。そのため、溝１９の幅はプリント基板２０の厚さｄとほぼ等しく、溝１９の深さは１〜２ｍｍ程度であればよい。本実施形態においては、この溝１９の存在により基体１１の底面１１Ｂに設けられたパッド電極１３〜１５は２分割されている。ただし、溝１９の内部にも導体が形成されることによって溝１９の両側のパッド電極が電気的につながっていてもよい。
【００２５】
放射電極１２の長手方向の一端は給電電極１６を介して第１のパッド電極１３に接続されている。また、放射電極１２の長手方向の他端は接地電極１７を介して第２のパッド電極１４に接続されているが、接地電極１７の下端寄りにはギャップ１８が形成されているので、放射電極１２は第２のパッド電極１４に容量結合している。これにより、第１のパッド電極１３、給電電極１６、放射電極１２、接地電極１７、及び第１のパッド電極１４は実質的に連続する一本の放射導体を構成している。このように、放射導体が基体１１の複数の面にわたって形成されているので、基体１１自体を小型化しても所望の電気長を確保することができる。
【００２６】
第１及び第２のパッド電極１３、１４は、基体１１の底面１１Ｂの長手方向の両端部にそれぞれ形成された矩形状のパターンである。また、第３のパッド電極１５は、基体１１の底面１１Ｂの長手方向の中央部に形成されており、第１及び第２のパッド電極１３、１４の間に設けられている。基体１１の各面に形成されたこれらの導体パターンは、できるだけ対称性を有するように形成されていることが好ましい。これによれば、アンテナブロック１０の向きを水平反転させてもプリント基板２０の端部側から見たアンテナブロック１０上の導体パターンの形状が同じになることから、実装する向きによってアンテナ特性が大きく変化することがなく、アンテナ設計を容易にすることができる。
【００２７】
図４は、プリント基板２０の構成を示す略平面図である。
【００２８】
図４に示すように、プリント基板２０は、コーナー部２０Ａに設けられた切り欠き部２１と、切り欠き部２１の周囲に形成されたグランドパターン２２と、給電ライン２６とを備えている。また図示しないが、プリント基板２０上には移動体通信装置を構成するための各種回路や電子部品が実装されている。
【００２９】
切り欠き部２１はアンテナブロック１０を実装するためのアンテナ実装空間であり、プリント基板２０のコーナー部２０Ａに設けられているが、図示のように完全なコーナーではなく、コーナーよりもＹ方向に少し内側を矩形状に切り欠いて構成されている。そのため、切り欠き部２１の周囲３方向は基板材料に囲まれているが、残りの一方向は切り欠き部２１の開口２１ａであり、基板材料の存在しない開放空間である。切り欠き部２１をプリント基板２０の完全なコーナー部に形成し、切り欠き部２１の２方向が開放空間となる場合には、アンテナブロック１０を基板材料で挟持することができないが、周囲３方向が基板材料で囲まれている場合には、アンテナブロック１０を基板材料で挟持することができ、アンテナブロック１０の嵌合による簡易固定が可能である。
【００３０】
給電ライン２６はプリント基板２０のエッジ２０Ｘのできるだけ近くに設けられており、エッジ２０Ｘに沿って切り欠き部２１内に引き込まれている。給電ライン２６の先端部２６ａはアンテナブロック１０のパッド電極１３に接続される。給電ライン２６とグランドパターン２２との間にはチップリアクタ等のインピーダンス調整素子２７が実装されている。インピーダンス調整素子２７の実装位置は、アンテナ実装領域としての切り欠き部２１とグランドパターン２２とを絶縁分離するためのクリアランス領域２３の外側であって、このクリアランス領域２３にできるだけ近い位置であることが好ましい。
【００３１】
切り欠き部２１とグランドパターン２２との間にはクリアランス領域２３が介在しているので、アンテナブロック１０は基本的に短絡されないが、アンテナブロック１０の第２のパッド電極１４はリード部２４を介してグランドパターン２２に接続される。また、アンテナブロック１０の第３のパッド電極１５は、ランド２５及び周波数調整素子２８を介してグランドパターン２２に接続される。周波数調整素子２８は、ランド２５のリード部２５ａとグランドパターン２２との間に直列に挿入されている。
【００３２】
図２は、プリント基板２０の切り欠き部２１にアンテナブロック１０を実装した状態を示している。アンテナブロック１０はその主放射面が開口２１ａ側を向くように実装される。放射電極１２はプリント基板２０の内側に近いほどグランドに近くなり、放射電極１２がグランドに近づくと放射電磁界がグランド面で反射してしまうので、アンテナの放射効率が著しく低下する。しかし、放射電極１２がプリント基板２０の外側を向いている場合にはそのような問題が無く、十分な放射効率を得ることができる。
【００３３】
アンテナブロック１０の主放射面は、プリント基板２０のアウトライン（図２中のＤ−Ｄ線）と一致するか、または当該アウトラインよりも内側に位置することが好ましい。この構成によれば、グランド結合による損失が抑制されるため、アンテナの放射特性を一段と向上させることができる。特に、プリント基板と放射電極とを垂直にし、プリント基板の主面側から見たときにアンテナブロック１０がプリント基板２０のエッジ２０Ｙからはみ出さないようにすることで、放射電極１２に流れる電流の電流密度を増やすことができ、放射パターンのヌル点が無くしてアンテナ特性を向上させることができる。
【００３４】
アンテナブロック１０の第１のパッド電極１３は給電ライン２６の先端部２６ａに接続されており、アンテナブロック１０の第２のパッド電極１４はリード部２４を介してグランドパターン２２に接続されており、第３のパッド電極１５のリード部２５ａは周波数調整素子２８を介してグランドパターン２２に接続されている。第１のパッド電極１３は給電ライン２６の先端部２６ａ、第２のパッド電極１４はリード部２４、第３のパッド電極１５はランド２５にそれぞれ半田接続される。この半田付けにより、アンテナブロック１０はプリント基板２０に対して機械的に固定され、アンテナブロック１０の溝１９をプリント基板２０に嵌合することによる簡易固定と合わせて、より確実な固定が実現される。
【００３５】
図５は、図１の矢印Ｐ１方向から見たアンテナ装置１００の略平面図である。
【００３６】
図５に示すように、プリント基板２０の端面２０ｅはアンテナブロック１０の溝１９に嵌合している。溝１９は基体１１の幅方向（Ｚ方向）の中央部に形成されているので、プリント基板２０の端面を溝１９に嵌合したとき、アンテナブロック１０の幅Ｗ方向の中心Ｐ１はプリント基板２０の厚さｄ方向の中心Ｐ２と一致する。両者の中心がずれるとアンテナの特性インピーダンスが変化し、ＶＳＷＲが大きくなるため、アンテナの放射効率が悪化するが、両者の中心が一致している場合には、アンテナの放射効率を高めることができる。
【００３７】
図６は、アンテナ装置１００の指向性を示すグラフであり、特に、プリント基板２０の上端部に取り付けたアンテナブロック１０をグラフの中心に置き、プリント基板２０がアンテナブロック１０から見て１８０度の方向に存在するときの指向性を示すものである。
【００３８】
図６に示すように、本実施形態によるアンテナ装置１００の指向性は、実際の使用状態においてＧＰＳ衛星が存在する方向である−９０度付近の方向に対してヌル点がなく、良好な指向性となっていることが分かる。従来のアンテナ装置の場合、アンテナブロックがプリント基板の裏面に実装されているので、ＧＰＳ衛星が存在する方向にヌル点が発生し、良好な指向性とはならなかった（図１１参照）。しかし、本実施形態によれば、アンテナブロック１０がプリント基板２０のコーナー部２０Ａに形成された切り欠き部２１内に収容され、さらにアンテナの主放射面である放射電極１２がプリント基板２０の外側を向いているので、十分な放射効率を得ることができる。
【００３９】
図７は、アンテナ装置１００を含む携帯電話機３００の使用状態での指向性を示す模式図である。
【００４０】
図７に示すように、携帯電話機３００内のプリント基板２０の一方の主面２０ａにはディスプレイパネル５０が搭載されている.ディスプレイパネル５０は、プリント基板２０の上端寄りに設けられており、アンテナブロック１０は、プリント基板の上端側の外周部に設けられている。
【００４１】
アンテナブロック１０はプリント基板２０の端面２０ｅに固定されているので、アンテナの指向性は良好であり、ＧＰＳ衛星の方向（図６のー９０度の方向）に電波を放射することができ、良好な放射特性を得ることができる。つまり、プリント基板９１の裏面側にアンテナブロックが表面実装されていないので、アンテナの放射特性をたかめることができ、ＧＰＳ信号を確実に受信することができる。本実施形態においては、アンテナブロック１０がディスプレイパネル５０と重なる部分を有するが、このような構成であっても放射特性は良好である。特に、プリント基板２０の端面２０ｅに取り付けたことによってアンテナブロック実装状態において低背化され、この低背化によってディスプレイパネル５０とアンテナブロックとを重ね合わせることが可能となり、部品実装の省スペース化を実現することができる。
【００４２】
図８は、本発明の第２の実施形態によるアンテナ装置２００の構成を示す略外観斜視図である。
【００４３】
図８に示すように、このアンテナ装置２００の特徴は、アンテナブロック１０がプリント基板２０の左上側のコーナー部２０Ｂに設けられており、アンテナブロック１０の長手方向がプリント基板２０の長手方向を向いている点にある。このように、アンテナブロック１０の実装位置は図１に示した右上コーナー部２０Ａであってもよく、左上コーナー部２０Ｂであってもよい。また、アンテナブロックの向きも、図１に示した横向きであってもよく、図８に示した縦向きであってもよい。
【００４４】
図９は、図８のＰ２方向から見たアンテナ装置２００の略平面図である。
【００４５】
図９に示すように、プリント基板２０の端面はアンテナブロック１０の溝１９に嵌合しているので、アンテナブロック１０の幅Ｗ方向の中心Ｐ１はプリント基板２０の厚さｄ方向の中心Ｐ２と一致している。両者の中心がずれるとアンテナの特性インピーダンスが変化し、ＶＳＷＲが大きくなるため、アンテナの放射効率が悪化するが、両者の中心が一致している場合には、アンテナの放射効率を高めることができる。
【００４６】
図１０は、アンテナ装置２００の指向性を示すグラフであり、特に、プリント基板２０の上端部に取り付けたアンテナブロック１０をグラフの中心に置き、プリント基板２０がアンテナブロック１０から見て１８０度（又はー１８０度）の方向に存在するときの指向性を示すものである。
【００４７】
図１０に示すように、本実施形態によるアンテナ装置２００の指向性は、第１の実施形態によるアンテナ装置１００と同様、実際の使用状態においてＧＰＳ衛星が存在する方向である−９０度付近の方向に対してヌル点がなく、良好な指向性となっていることが分かる。
【００４８】
以上説明したように、上記第１及び第２の実施形態によれば、アンテナの放射電極をプリント基板の主面（ＸＹ平面）と直交するように配置し、アンテナブロック１０をプリント基板２０のコーナー部に設けられた切り欠き部２１内に収納しているので、アンテナの指向性を改善することができ、良好な放射特性を得ることができる。さらに、上記各実施形態によれば、アンテナブロック１０がプリント基板２０の端部に取り付けられ、しかもアンテナブロック１０の幅方向の中心とプリント基板の厚さ方向の中心が一致するように配置されているので、プリント基板２０の主面から見たアンテナブロック２０の高さを十分に低くすることができ、アンテナブロック１０が実装される携帯電話機等の移動体通信装置全体の低背化が可能となる。
【００４９】
本発明は、以上の実施形態に限定されることなく、本発明の趣旨を逸脱しない範囲内で種々の変更を加えることが可能であり、それらも本発明の範囲に包含されるものであることは言うまでもない。
【００５０】
例えば、上記実施形態においては、アンテナブロックに溝１９を設け、プリント基板２０の端面を溝１９に嵌合することで両者を位置決め固定しているが、本発明はこのような構造に限定されず、例えば、接着剤を用いてアンテナブロック１０をプリント基板２０に固定してもよい。また、携帯電話機の外装ケースの一部をアンテナブロック固定用の部材として使用することも可能である。
【００５１】
また、本発明において、アンテナブロックの表面に形成される導体パターン形状は特に限定されず、基体１１の上面（主面）１１Ａに放射電極１２が形成されており、基体１１の底面１１Ｂにグランドや給電ラインに接続される端子電極が設けられた形状であれば、種々の導体パターン形状を適用することが出来る。さらに、本発明においてインピーダンス調整素子２７や周波数調整素子２８は必須ではなく、他の手段によってインピーダンスや共振周波数の調整が可能である場合には省略してもよい。
【００５２】
また、上記実施形態においては、アンテナの放射効率をより一層高めるため、アンテナ実装空間である切り欠き部２１をプリント基板２０の上端側のコーナー部２０Ａ，２０Ｂに形成しているが、本発明はこの構成に限定されるものではなく、プリント基板２０の上端側の幅方向中央部を形成することも可能である。すなわち、切り欠き部２１は、携帯電話機の通常の使用状態においてプリント基板２０の上端側に設けられることが好ましいが、左右方向は特に限定されない。なお、プリント基板２０の上下方向は、当該プリント基板に実装されるディスプレイの表示状態、テンキー等の各種部品の向き、或いは、当該プリント基板を収容する外装ケースの向きから容易に判別できる。
【００５３】
また、本発明はＧＰＳ用チップアンテナとして好ましく用いることができるが、ＧＰＳ用チップアンテナに限定されるものではなく、例えば、無線ＬＡＮ用チップアンテナ、ブルートゥース用チップアンテナに適用することも可能である。これらのアンテナにおいてアンテナブロック１０を切り欠き部２１内に収納し、アンテナブロック１０をその実装面がプリント基板２０の端面と接するように搭載することで、プリント基板２０の主面から上下方向に突出するアンテナブロックの突出量を低く抑えることができる。
【符号の説明】
【００５４】
１０    アンテナブロック
１１    基体
１１Ａ    基体の上面
１１Ｂ    基体の底面
１１Ｃ    基体の第１の側面
１１Ｄ    基体の第２の側面
１１Ｅ    基体の第３の側面
１１Ｆ    基体の第４の側面
１２    放射電極
１３〜１５    パッド電極
１６    給電電極
１７    接地電極
１８    ギャップ
１９    溝
２０    プリント基板
２０Ａ    プリント基板の右上コーナー部
２０Ｂ    プリント基板の左上コーナー部
２０Ｘ，２０Ｙ    エッジ
２０ａ    プリント基板の一方の主面（表面）
２０ｂ    プリント基板の他方の主面（裏面）
２０ｅ    プリント基板の端面
２１    切り欠き部
２１ａ    切り欠き部の開口
２２    グランドパターン
２３    クリアランス領域
２４    リード部
２５    ランド
２５ａ    ランドのリード部
２６    給電ライン
２６ａ    給電ラインの先端部
２７    インピーダンス調整素子
２８    周波数調整素子
５０    ディスプレイ
９０    ＧＰＳ衛星
９１    プリント基板
９１ａ    プリント基板の一方の実装面（表面）
９１ｂ    プリント基板の他方の基板面（裏面）
９２    チップアンテナ
９３    ディスプレイ
１００    アンテナ装置
２００    アンテナ装置
３００    携帯電話機
【図１】
2011071775.tif 000003
【図２】
2011071775.tif 000004
【図３】
2011071775.tif 000005
【図４】
2011071775.tif 000006
【図５】
2011071775.tif 000007
【図６】
2011071775.tif 000008
【図７】
2011071775.tif 000009
【図８】
2011071775.tif 000010
【図９】
2011071775.tif 000011
【図１０】
2011071775.tif 000012
【図１１】
2011071775.tif 000013